(57)【要約】      （修正有）【課題】収集された印刷物が収集シリンダから持ち上げ可能であり、かつ搬送装置により収集シリンダから離間して搬送可能である分岐機構において、収集シリンダの性能を向上させる。【解決手段】駆動装置１３と、収集シリンダ２の周囲に収集される印刷物１７を固く保持し、かつ解放するための保持手段５と、保持手段を制御するための作動部材、並びに収集シリンダの軸２２に対して平行に延びている旋回軸線を有し、収集シリンダ２が同心で回転する制御機構と接続していて、この制御機構が分岐機構７の非作業位置と作業位置に割当てられる少なくとも一つの制御突出部を備えており、この制御突出部が分岐機構７に固定された支持ローラに作用するように構成されている。【選択図】図１
2008230855.tif 000002
【特許請求の範囲】
【請求項１】
軸（２２）を中心にして回転可能な収集シリンダ（２）に供給されるデジタルに、好ましくは連続的に印刷物（１７）を収集するための装置であって、
駆動装置（１３）と、収集シリンダ（２）の周囲（３）に収集される印刷物（１７）を固く保持しかつ解放するための保持手段（５）と、保持手段（５）を制御するための作動部材（１９）、並びに収集シリンダ（２）の軸（２２）に対して平行に延びている旋回軸線（８）を有し、それにより収集された印刷物（１７）が収集シリンダ（２）から持ち上げ可能であり、かつ搬送装置（６）により収集シリンダから離間して搬送可能である分岐機構（７）を備えており、
その際、分岐機構（７）が、制御部（１６）により、供給される印刷物（１７）の周期に従って、相前後した二つの印刷物（１７）の相互間の収集シリンダ（２）上での収集の際は、非作業位置に調節可能であり、かつ収集された印刷物（１７）を、収集シリンダ（２）から離間して搬送する際は、分岐機構（７）の自由端部が収集シリンダ（２）の内側にある作業位置に調節可能である装置において、
収集シリンダ（２）が同心で回転する制御機構（３５）と接続していて、この制御機構が分岐機構（７）の非作業位置と作業位置に割当てられる少なくとも一つの制御突出部（３６）を備えており、この制御突出部が分岐機構（７）に固定された支持ローラ（３２）に作用するように構成されていることを特徴とする印刷物を収集するための装置。
【請求項２】
支持ローラ（３２）が分岐機構（７）と不動に接続していて、一本腕のレバー（３１）の自由端部に支承されていることを特徴とする請求項１記載の装置。
【請求項３】
レバー（３１）が弾性部材（３３）により制御機構（３５）に押付けられるように構成されていることを特徴とする請求項２記載の装置。
【請求項４】
制御機構（３５）が各々印刷物（１７）に割当てられる複数の制御突出部（３６）を備えていることを特徴とする請求項１〜３のいずれか一つに記載の装置。
【請求項５】
制御機構（３５）がほぼ球状の円盤として形成されており、その周囲において、半径方向で突出している少なくとも一つの制御突出部（３６）が設けられていることを特徴とする請求項１〜４のいずれか一つに記載の装置。
【請求項６】
分岐機構（７）が非作業位置でロック装置（６５）内で係止されていることを特徴とする請求項１〜５のいずれか一つに記載の装置。
【請求項７】
ロック装置（６５）が供給される印刷物（１７）の周期に従って制御可能であり、かつ復元力とは逆方向にロックされる爪（３７）を備えていることを特徴とする請求項６記載の装置。
【請求項８】
爪（３７）が制御部（１６）と接続している調節機構（４０）により作用を受けていることを特徴とする請求項７記載の装置。
【請求項９】
爪（３７）が分岐機構（７）に設けられている係止装置（４３）内に係合される爪突起部（６６）を備えていることを特徴とする請求項７または８に記載の装置。
【発明の詳細な説明】
【技術分野】
【０００１】
本発明は、軸を中心にして回転可能な収集シリンダに供給されるデジタルに、好ましくは連続的に印刷物を収集するための装置であって、駆動装置と、収集シリンダの周囲に収集される印刷物を固く保持しかつ解放するための保持手段と、保持手段を制御するための作動部材、並びに収集シリンダの軸に対して平行に延びている旋回軸線を有し、それにより収集された印刷物が収集シリンダから持ち上げ可能であり、かつ搬送装置により収集シリンダから離間して搬送可能である分岐機構を備えており、その際、分岐機構が制御部により、供給される印刷物の周期に従って、相前後した二つの印刷物の相互間の収集シリンダ上での収集の際は、非作業位置に調節可能であり、かつ収集された印刷物を、収集シリンダから離間して搬送する際は、分岐機構の自由端部が収集シリンダの内側にある作業位置に調節可能である装置に関する。
【背景技術】
【０００２】
従来技術では、特許文献１から印刷物、例えば紙葉を例えば新聞を製造するために収集シリンダの周囲に収集することができる装置が公知である。収集された製品は、一緒に送出され、かつ例えば折畳み機に供給される。さらに、収集シリンダは同時に折畳みシリンダとして形成されており、かつその周囲に沿ってこれに合わせて折畳みナイフを備えている。
【０００３】
印刷物を収集シリンダの周囲で収集するために、収集シリンダは収集シリンダの周囲に関連して操作可能な保持手段を有する。
【０００４】
特許文献２は、収集シリンダ上で収集すべき印刷製品が保持機構により保持され、この保持機構は保持部材と、ストッパに近づく印刷製品のための保持機構を備えている装置を開示している。収集シリンダ上で収集される印刷製品を収集シリンダから離間して搬送させるために、収集シリンダに接続する搬送ベルトが設けられている。収集された印刷製品を搬送ベルトに送り出すために、複数の排出部材が設けられており、この排出部材は分岐機構を形成し、かつ収集シリンダの回転軸に対して平行に延びている旋回軸を中心にして旋回可能である。収集される印刷製品を導出するために、排出部材は収集シリンダ内に沈み込む。収集の際、排出部材は収集シリンダ内には沈み込まず、したがって作用しないように旋回している。本装置は、連続的にデジタル印刷機で印刷される印刷製品を製造するために設けられている。
【特許文献１】ドイツ国特許第１０３１５４４３号明細書
【特許文献２】欧州特許公開第１４７１０２２号明細書
【発明の開示】
【発明が解決しようとする課題】
【０００５】
本発明の根底をなす課題は、同様にデジタル印刷機に適しているが、高い性能が可能になる冒頭の様式の装置を提供することにある。
【課題を解決するための手段】
【０００６】
この課題は、請求項１による本発明に類するような装置において解決される。
【０００７】
本発明による装置の場合、分岐機構は制御部により制御される、印刷物を収集するためのロック装置により非作業位置でロック可能である。制御部は本発明による装置以外に、収集シリンダの手前に支持された印刷機、ならびに別の印刷物の製造過程に関与した装置も制御する。印刷物の製造に必要な情報は、制御部にあり、かつ本発明による装置の場合、分岐機構を制御するために使用することができる。
【０００８】
本発明による装置により、デジタル印刷機に匹敵する高い効率でもって印刷物を製造することが可能になる。
【０００９】
本発明による装置の他の長所は、特にデジタル印刷機と関連して、可変数量の印刷物がまとまって可変ページ数の半製品になることが可能であることにある。さらにここでは、制御部での必要な情報は、印刷機、特にデジタル印刷機に使用することができ、ならびに分岐機構を制御するために使用することができる。従って、本発明による装置は、連続的に、すなわち相前後して次々と供給されるデジタル印刷された紙葉を収集するのに適している。例えば二つの針を備えた収集シリンダ上で、例えば、相違があり、例えば大きさが異なる二つの印刷物ＡおよびＢを収集することができる。
【００１０】
本発明の他の形態によれば、分岐機構は収集シリンダの軸と一緒に回転する制御機構により、非作業位置に旋回可能である。非作業位置への旋回は、その都度、収集シリンダに供給されるか、あるいは収集シリンダ上で収集される、相前後した二つの印刷物の間の間隙で行われる。収集するために、分岐機構はこの非作業位置でロック装置内において係止される。ロックが解除されると、分岐機構は作業位置に旋回し、収集された印刷物は収集シリンダから持上げられ、かつ搬送装置により収集シリンダから離間して搬送される。ロック装置内での分岐機構の係止と解除は制御部により制御される。それにより、ふれたように高い性能と汎用性、ならびに比較的容易でかつ確実な制御も可能である。
【００１１】
本発明の他の形態によれば、収集シリンダと共に回転する制御機構が球状の円盤により形成されていて、球状円盤が半径方向で突出している制御突出部を有しており、この制御突出部が、分岐機構をその都度印刷物間の間隙内において非作業位置へ旋回させると、制御は特に容易でかつ確実である。
【００１２】
本発明の他の形態により、分岐機構が非作業位置においてロック機構内で解除可能に係止されていると、特に容易な分岐機構のロックは確実に行われる。本発明の他の形態によれば、係止はロック装置の係止可能な爪により行われ、この爪は供給される印刷物の周期に従って旋回可能である。この爪において分岐機構は解除可能に係止されている。
【００１３】
本発明の他の形態によれば、爪が分岐機構から解除された時に停止位置に旋回する復元力が爪にかかると、ロックの解除は特に容易でありかつ確実である。分岐機構が制御機構により爪が解除されるように旋回することにより、ロックの解除は簡単な方法で可能である。復元力は、爪がすぐに静止状態になることにより、かつ分岐機構が解除されることにより旋回する。
【００１４】
本発明の他の形態によれば、ロック装置は調節機構を備えており、この調節機構により、爪は分岐機構が爪に解除可能に係止されていない位置で固定可能である。それにより、爪をロックし、同時に収集位置を固定することが特に簡単な方法で可能である。この場合、調節部材は制御部と接続している。調節機構は好ましくは作動シリンダとして、特にエアシリンダとして形成されている。好ましくは複合作用を行う作動シリンダのプランジャにより、先に挙げた係止レバーは係止位置で保持するかあるいは解放することができる。
【００１５】
本発明の他の形態によれば、分岐機構は制御レバーを備えている。このような制御レバーにより、特に簡単でかつ確実、ならびに迅速な分岐機構の制御が可能になる。この制御レバーはロック装置と協働する。
【００１６】
本発明の他の形態により、制御レバーが旋回可能に支承されており、かつ分岐機構を制御するための自由端部において、先に挙げた調節機構上を走る支持ローラを備えていると、制御は特に容易であり、かつ確実である。
【００１７】
制御レバーは、ロック手段、例えば係止板を有しており、この係止板は、分岐機構が非作業位置にある旋回位置で爪の爪突起部に係合する。
【００１８】
本発明の他の形態によれば、制御レバーは例えば弾性部材の復元力に抗して旋回可能である。制御レバーのロック部が持ち上げられていると、制御レバーは自動的に直ちに作業位置に旋回し、この旋回位置で印刷物は収集シリンダから離間して搬送される。
【００１９】
本装置は本発明の他の形態によれば、制御部を備えている。この制御部はいわゆるロック装置を制御する。制御部は好ましくはデジタル印刷機である印刷機も制御する。この装置は、印刷速度が高い場合の連続的に供給される、特にデジタルに印刷される紙葉から成る印刷物を連続的に印刷するのに適している。印刷物は頁数が可変の半製品から構成される。従って、相互に異なる印刷物、例えば様々な新聞、いわゆる“高級紙”が製造されるが、タブロイド紙も製造される。
【００２０】
本発明の他の形態によれば、本装置は印刷物を固定し、かつ解放するために役立つ保持手段を制御するための作動部材を備えている。それにより、制御情報を基にして、印刷物を固定しかつ解放するのを制御することも可能である。これにより、なお高い性能を発揮することが可能である。先に挙げた作動部材は、静止した第一カムと協働するのが好ましく、その際、保持手段を解放するためのこの第一カムは逸脱するように回動するカム部分を備えており、このカム部分は第二カムの第二カム部分から少なくともほぼ持ち上げ可能である。本発明の他の形態によれば、第二カムが作用せずかつ保持手段を解放する位置と、逸脱して運動経過するカム部分から少なくともほぼ上方に持ち上がり、保持手段を作用状態に保持する位置との間で移動可能であるときに、先に挙げた保持手段の制御は特に容易でありかつ確実である。第二カムの移動は、収集シリンダの回転軸に対して平行に、すなわちほぼ半径方向に行われる。従って、比較的短い作動距離でもって、保持手段を制御することができる。作動ストロークは例えば作動シリンダを用いて極めて容易にかつ迅速に行うことができる。
【００２１】
この作動シリンダは空圧作動シリンダであるのが好ましい。しかしながら、基本的に別の作動シリンダまたはカムを移動させるための別の駆動機構も可能である。
【００２２】
その他の有利な特徴は、従属請求項と、後に続く明細書、ならびに図からわかる。
【発明を実施するための最良の形態】
【００２３】
本発明による印刷物を収集するための装置の実施例を以下に図を用いて詳しく説明する。
【実施例】
【００２４】
本発明による装置１は、図１によれば、軸２２を中心にして時計方向に回転可能な収集シリンダ２を有する。この軸２２は図８によれば機械フレーム３０の両端部において回転可能に支承されている。収集シリンダ２は駆動モータ１３、特にサーボモータにより、両面が歯切りされた歯付きベルト１４を介して駆動される。歯付きベルト１４は図１によればホイール５８の周囲に設けられており、このホイールは図８によれば機械フレーム３０の外側で側方に配置されており、かつ収集シリンダ２の軸２２と不動に接続している。さらに駆動モータ１３は、歯付きベルト１４と歯付きベルト１５を介して、ローラ４５と４６を介して設けられている下側の搬送ベルト４４を駆動する。カウンタローラ１２は、歯付きベルト１４だけでなく歯付きベルト１５とも係合する。さらに、駆動モータ１３は歯付きベルト１４を介して加速機構１１を駆動し、この加速機構は収集されるべき印刷物１７を加速するためにカウンタローラ１２と協働する。この目的で、加速機構１１はその周囲に、矢印４８の方向で軸４７を中心に回転する面４９を有している。さらに、駆動モータ１３は歯付きベルト１４と歯付きベルト５９を介して平歯車である上側歯車５１を駆動し、この上側歯車は、同様に平歯歯車である、搬送装置６の下側歯車５２に係合している。上側歯車５１は搬送ベルト１０を駆動し、下側歯車５２はベルト５３を駆動する。
【００２５】
したがって、収集シリンダ２、加速機構１１ならびに搬送のために設けられたベルト１０，４４および５３は、運動が同期しており、かつ同じ速度でもって駆動モータ１３を介して駆動されている。駆動モータ１３は必要な情報を、図１に示してあり、好ましくはデジタル印刷機である印刷機５６と横方向裁断機５７を制御する制御部１６から得る。図１において同様にただ単に示してあるだけであり、かつ公知の横方向裁断機５７は、印刷機５６により印刷されたシート６７を搬送方向に対して横方向に裁断し、個別の印刷物１７にする。印刷物１７の搬送は図１では矢印５０によれば左から右へ行われる。その周囲においてここではただ単に示しただけの刃を有する横方向裁断機５７の回転数は、加速機構１１の回転数、あるいはその円筒の周囲で二つの紙葉積層体１８と１８’を備えている収集シリンダ２の回転数に一致している。従って収集シリンダ２は、二つのいわゆる針を有する。収集シリンダ２が一つの針のためにだけ、あるいは二つ以上の針のために形成されている
【００２６】
収集シリンダ２上で印刷物１７を保持するために、保持手段５が設けられている。保持手段５は例えば各々図３によればレバー４の端部に固定されている穿孔針として形成されている。作業周期に従って、加速機構１１と穿孔針は、収集シリンダ２上で、印刷物１７が繰り出される穿孔針により約１ｃｍ、先行する縁部の後方で突き刺されるように互いに調節されている。収集過程が完了していると、レバー４は保持手段５と共に沈み、紙葉積層体１８に収集された印刷物１７は収集シリンダ２上で固定されなくなる。最後尾の印刷物１７は、印刷物が保持手段５により固く保持されることなく、収集シリンダ２上で収集された紙葉積層体１８上に直接移され、かつ収集シリンダ２の周囲に案内される。次いで、印刷物１７を保持手段５により収集することを詳しく説明する。
【００２７】
図１において、保持手段５とレバー４の位置は実線で示してあり、保持手段５は印刷物１７の収集に関して作用状態にある。この収集された印刷物１７が収集シリンダ２上で解放されている引戻された位置は、図１では破線で示してある。レバー４は保持手段５とは間隔をおいて図３に示した軸２８と不動に接続している。この軸２８は収集シリンダ２において回転可能に支承されている。この軸２８の一方の端部には、図２及び３によれば軸２８と間隔をおいて二つのカムローラ２０を備えている作動部材１９が固定されている。図３で右に示したカムローラ２０ａは、少なくとも領域的にカム２３の軌道２１ａ上を走り、カムローラ２０ｂは、カム２４の軌道２１上を走る。カム２３とカム２４は、固定されている。すなわちこの二つのカムは収集シリンダ２と一緒には回転しない。しかしながら、カム２４は、例えば軸方向に移動可能であり、しかも図３に示したハブと共に移動可能である。図３において、カム２４の一方の位置は実線で示してあり、他方の位置は破線で示してある。設けられたハブは二重矢印２９で示してある。第二カムの移動は例えば収集シリンダ２の回転軸線に対して平行かあるいは半径方向に対しても行われる。さらに、第二カム２４が軸線２２を中心にしてか、あるいは軸線２２に平行な軸線を中心にして旋回可能に支承されていることも可能である。カム２３は移動可能ではなく、多数のボルト２７によりフレーム３０に固定されている。カム２４は案内部材２５により直線状に案内されている。軸方向運動用の駆動は、機械フレーム３０に固定されているエアシリンダ２６により行われる。カム２４はエアシリンダ２６のプランジャ６０に直接接続している。エアシリンダの代わりに、他の適切な駆動機構が設けられていてもよい。時間的に正確なエアシリンダ２６の作動は、制御部１６により行われており、この制御部は本装置１の手前に接続されたデジタル印刷機５６と横方向裁断機５７を制御している。制御部１６は、例えば新聞の半製品が各々どれほどの頁を持たねばならないか、すなわちどれだけの印刷物１７が本発明による装置により収集されて紙葉積層体１８を形成するかの必要な情報のために使用される。
【００２８】
カム２３は図２によれば逸脱するカム部分２３ａを備えている。従って軌道２１は完全には円形ではない。カム２４は図２によればこの逸脱するカム部分２３ａの手前にあり、かつカム部分２４ａを備え、このカム部分は図２に示したように、逸脱するカム２３のカム部分２３ａを少なくともほぼ解除する。カム２３が図３で実線で示し、かつ繰出された位置にあると、逸脱するカム部分２３ａは作用しない。なぜなら作動部材１９はこの逸脱するカム部分２３ａの領域内でカムローラ２０ｂでもってカム２４のカム部分２４ａの上方で解除されるからである。従って逸脱するカム部分２３ａはカム２４により少なくともほぼ解除される。図２において対応するレバー１９の位置は実線で示してある。しかしながらカム２４が図３において破線で示された位置にあると、カムは作用せず、相応するようにカムローラ２０ｂは作動状態ではない。したがって作動部材１９は、逸脱するカム部分２３ａ内に走入するカムローラ２０ａにより単独で制御される。カムローラ２０ａがこのように走入すると、作動部材１９は図２によれば、半径方向で下に向かって移動し、対応するようにレバー４は保持手段５と共に、同様に半径方向で内側に移動する。従って保持手段５は収集された収集シリンダ２上の印刷物１７を解放する。
【００２９】
ベルト９はローラ６１にわたって回動し、かつ収集シリンダ２により駆動される。収集シリンダの軸２２に対して軸方向にずれた各々二つのベルト９と偏向ローラ６１，６２および６３との間には、各々保持手段５が配置された間隙がある。従ってカム２４がエアシリンダ２６により軸方向に移動されることにより、容易な方法で保持手段５の位置を制御することができる。従って印刷物１７を収集するために、カム２４は図３で実線で示した位置に移動される。収集過程が終了していると、カム２４はエアシリンダ２６により軸方向でかつ直線的に外側へずれ、従ってカムローラ２０ａは逸脱するカム部分２３ａ内へ沈み、収集された印刷物１７は保持手段５により解放される。すでに説明したように、エアシリンダ２６の制御は制御部１６によって行われる。
【００３０】
図１に示したように、収集シリンダ２にはレバー４に向かって斜交いに別のレバー４’が設けられており、これらのレバーは同様に保持手段５を有しており、かつ先に説明したように同様にカム２３およびカム２４により制御されている。これらのレバー４’により、紙葉積層体１８’の印刷物１７は固定され、レバー４により紙葉積層体１８の印刷物１７が固定される。
【００３１】
紙葉積層体１８および１８’が保持手段５により解放されると、紙葉積層体は分岐機構７により収集シリンダから持上げられ、かつ搬送装置６により収集シリンダから離間して搬送される。収集の際、分岐機構７は図１によれば、実線で示した作業位置にある。ロックするためには、分岐機構７は図１で破線で示した非作業位置に旋回される。分岐機構７の制御は、図４〜８に示してあり、かつ回転する制御機構３５と、制御機構３５上を回動するレバー３１により行われる。レバー３１は旋回軸線８を備えた分岐棒材３４を介して分岐機構７と不動に接続している。分岐棒材３４に対して間隔をおいて、レバー３１は自由端部において回転する制御機構３５の周囲を回動する支持ローラ３２を有する。分岐棒材３４と支持ローラ３２の間では、レバー３１上に弾性部材３３が荷重をかけている。この弾性部材３３、例えば圧縮バネにより、支持ローラ３２は制御機構３５に抗して押圧される。制御機構３５は図４及び５によれば、支持ロール３２が各々半径方向で若干持ち上げられる、半径方向で突出している制御突出部３６を有する。対応するように分岐機構７は半径方向で外側へ旋回する。制御突出部３６は、この旋回が各々両紙葉積層体１８および１８’の間の間隙内で行われるように設けられている。従って分岐機構７は、このように旋回する際、収集シリンダ上に収集された印刷物に接触する。
【００３２】
紙葉積層体１８へ印刷物１７を収集する際、分岐機構７は図６によるロック装置６５の爪３７により、持ち上げられた位置で保持される。従ってこの位置で、分岐機構７は収集シリンダ２内には沈まない。爪３７は図４によれば、軸６４を中心にして実線で示した位置から破線で示した位置に旋回可能である。しかしながら、エアシリンダ４０のプランジャ４１が図５及び６により繰出されていると、この旋回運動は可能ではない。復元力３８、例えば爪３７に係合する引張りバネにより、時計方向のトルクが生じる。ストッパ３９は半時計方向の運動を限定する。図７によるプランジャ４１が収納されていると、爪３７は図３７に示した位置にある。プランジャ４１が繰出された場合、爪３７は図５に示した位置にある。
【００３３】
レバー３１には、爪３７と協働する係止装置４３が設けられている。爪３７が図５に示した位置にあると、支持ローラ３２が制御突出部３６上に乗り上げると同時に、係止装置４３は爪３７の爪突起部６６において係止する。係止した場合、プランジャ４１はただほんの少しだけ後退する。プランジャ４１が繰出されたままでいると、分岐機構７は図６に示した位置で固定されている。したがって、印刷物１７を収集シリンダ２上で収集することができる。この場合、分岐機構７は非作業位置にある。
【００３４】
先行する紙葉積層体１８および１８’に割当てられた制御突出部３６がロック装置あるいは支持ローラ３２の領域を離れるとすぐ、収集された紙葉積層体１８および１８’を搬送し出すために、プランジャ４１は図４に示した位置に戻される。しかしながら、比較的強い弾性部材３３が爪突起部６６に抗して係止装置４３を押圧するので、分岐機構７はここでは一時的に持ち上がられた位置にとどまる。比較的弱い復元力３８では爪３７を係止装置４３から引き離すことができない。搬送されるべき紙葉積層体１８あるいは１８’に割り当てられる制御突出部３６が、支持ローラ３２の領域内に来ると、支持ローラと、相応するように係止装置４３も半径方向でわずかに持ち上げられる。それにより、爪３７への係止装置４３の圧力は減少し、復元力３８は爪３７を図４において破線で示した位置に旋回させることができる。従って係止装置４３は解放状態であり、分岐機構７は制御機構３５に抗して支持ローラ３２を押付ける弾性部材３３の圧力により、図７に示した位置に旋回する。この状態で、分岐機構７の自由端は収集シリンダ２の表面の内側にあり、相応するように紙葉積層体１８あるいは１８’は収集シリンダ２から持ち上げられ、かつ搬送装置６のベルト１０および５３により搬送される。ここでは図示していない電磁弁による調節機構４０の時間的に正確な作動は、同様に制御部１６により行われる。
【００３５】
搬送が終了し、かつ印刷物１７が再度、収集されて紙葉積層体１８，１８’を形成すると、先行する針（Nutzen）に割当てられた制御突出部３６がロック装置あるいは支持ローラの領域から離れるとすぐ、調節機構４０のプランジャ４１は繰出される。支持ローラ３２が次の制御突出部３６により半径方向で持ち上げられると、係止装置４３は同様に持ち上げられ、かつ先に説明したようにロック装置６５内で係止される。
【００３６】
本発明による装置により、ロック装置６５の調節機構４０の操作には比較的長い時間がかかる。先行する針に割当てられた制御機構３５の制御突出部３６がロック装置あるいは支持ローラ３２の領域から離れると同時に、プランジャ４１は次の針に必要な位置に来る。従って、回転する制御機構３５の続く二つの制御突出部３６の間の時間は、調節機構４０のパイロット制御に自由に使用できる。収集シリンダ２の周囲Ｂに収集された印刷物を固定しかつ解放するための保持手段５の作動は、同様にパイロット制御することができる。収集シリンダ２と接続していて、回転しているカムローラ２０が、逸脱するカム部分２３ａから離れてすぐ、カム２４は移動するかあるいは離間することができる。それから、次の針の回転するカムローラが、カム２３の逸脱するカム部分２３ａの領域を通過すると、調節過程は終了していなければならない。それにより、本発明による装置は、例えば２ｍ／ｓよりも速い、特にデジタル印刷機の高速印刷に適している。収集シリンダ２上での印刷物１７の収集物は、横方向裁断と折り目付けにより分離されている。その理由で、本発明による装置は、特にデジタル印刷機と関連して、例えば新聞を製造するための、様々な数の印刷全紙を用いた半製品の連続的製造に適している。従って、可変数量の印刷物がまとまって可変ページ数の半製品になる。様々なサイズに関して、手による操作は全く必要ではない。従って本発明による装置により、デジタル印刷に関して性能が上がり、同時に印刷物の構成における汎用性が増す。
【図面の簡単な説明】
【００３７】
【図１】本発明による装置の概略側面図である。
【図２】図１による装置の部分図である。
【図３】図１による装置の一部が断面である図である。
【図４】図１による装置の部分図である。
【図５】作業位置が異なっている状態の、図１による装置の部分図である。
【図６】作業位置が異なっている状態の、図１による装置の部分図である。
【図７】作業位置が異なっている状態の、図１による装置の部分図である。
【図８】図１による装置の別の部分図である。
【符号の説明】
【００３８】
１      装置
２      収集シリンダ
３      シリンダ周囲
４      レバー
４’    レバー
５      保持手段
６      搬送装置
７      分岐機構
８      旋回軸線
９      ベルト
１０    上側搬送ベルト
１１    加速機構
１２    カウンタローラ
１３    駆動モータ
１４    歯付きベルト
１５    歯付きベルト
１６    制御部
１７    印刷物
１８    紙葉積層体
１８’  紙葉積層体
１９    作動部材
２０    カムローラ
２０ａ  カムローラ
２０ｂ  カムローラ
２１    軌道
２２    軸線
２３    カム
２３ａ  カム部分
２４    カム
２４ａ  カム部分
２５    案内部材
２６    エアシリンダ
２７    ボルト
２８    軸
２９    二重矢印
３０    機械フレーム
３１    レバー
３２    支持ローラ
３３    弾性部材
３４    分岐棒材
３５    制御機構
３６    制御突出部
３７    爪
３８    復元力
３９    ストッパ
４０    調節機構
４１    プランジャ
４２    矢印
４３    係止装置
４４    下側搬送ベルト
４５    偏向ローラ
４６    ローラ
４７    軸
４８    矢印
４９    面
５０    矢印
５１    上側歯車
５２    下側歯車
５３    ベルト
５４    矢印
５５    カム部分
５６    印刷機
５７    横方向裁断機
５８    ホイール
５９    歯付きベルト
６０    プランジャ
６１    ローラ
６２    偏向ローラ
６３    偏向ローラ
６４    軸
６５    ロック装置
６６    爪突起部
６７    紙軌道
【図１】
2008230855.tif 000003
【図２】
2008230855.tif 000004
【図３】
2008230855.tif 000005
【図４】
2008230855.tif 000006
【図５】
2008230855.tif 000007
【図６】
2008230855.tif 000008
【図７】
2008230855.tif 000009
【図８】
2008230855.tif 000010